【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
第１色の光を受光する受光素子と前記第１色の光とは異なる第２色の光を受光する受光素子とを含む第１の複数の受光素子が第１方向に配列された第１ラインセンサと、前記第１色の光を受光する受光素子と前記第２色の光を受光する受光素子とを含む第２の複数の受光素子が前記第１方向に配列された第２ラインセンサと、を備え、前記第１方向と交差する第２方向に所定の間隔で設けられた前記第１ラインセンサ及び前記第２ラインセンサを用いて原稿の画像を読み取る読取センサと、
前記第１ラインセンサに設けられた受光素子による読取結果を表す画素データ及び前記第２ラインセンサに設けられた受光素子による読取結果を表す画素データを生成する第１生成手段と、
前記第１ラインセンサおよび前記第２ラインセンサが基準白板を読み取った結果から前記第１生成手段が生成した画素データに基づいて、前記第１生成手段によって生成された画素データに対するシェーディング補正が行われる際に用いられる補正データを生成する第２生成手段と、
前記第１ラインセンサおよび前記第２ラインセンサが前記基準白板を読み取った結果から前記第１生成手段が生成した画素データに基づいて、当該画素データの異常を検出する検出手段と、
前記第１ラインセンサにおいて前記第１方向における第１位置に設けられた受光素子に対応する画素データに対する前記検出手段の検出結果と前記第２ラインセンサにおいて前記第１方向における前記第１位置に設けられた受光素子に対応する画素データに対する前記検出手段の検出結果とを合成することによって、前記検出手段によって異常が検出された画素データに対応する受光素子の前記第１方向における位置を示す異常情報を生成する合成手段と、
前記異常情報が示す位置に設けられた受光素子に前記第１方向において隣接する受光素子に対応する画素データに基づいて、前記異常情報が示す位置に設けられた受光素子に対応する補正データを補間する補間手段と、
前記補間手段によって補間された前記補正データに基づいて、前記異常情報が示す位置に設けられた受光素子に対応する画素データに対してシェーディング補正を行う補正手段と、
を有することを特徴とする、
画像読取装置。
【請求項２】
前記第１の複数の受光素子と前記第２の複数の受光素子とのそれぞれは、前記第１色の光を受光する受光素子と、前記第１色の光を受光する受光素子に隣接し前記第２色の光を受光する受光素子と、を有することを特徴とする請求項１に記載の画像読取装置。
【請求項３】
前記第１の複数の受光素子と前記第２の複数の受光素子とのそれぞれは、前記第１色と前記第２色とのいずれとも異なる第３色の光を受光する受光素子を更に有し、
前記第１の複数の受光素子と前記第２の複数の受光素子とのそれぞれは、前記第１色の光を受光する受光素子と、前記第１色の光を受光する受光素子に隣接し前記第２色の光を受光する受光素子と、前記第２色の光を受光する受光素子に隣接し前記第３色の光を受光する受光素子と、を有することを特徴とする請求項１又は２に記載の画像読取装置。
【請求項４】
前記第１ラインセンサおよび前記第２ラインセンサにおいて、前記第１色の光を受光する受光素子、前記第２色の光を受光する受光素子、および前記第３色の光を受光する受光素子は、前記第１方向に周期的に配列されていることを特徴とする請求項３に記載の画像読取装置。
【請求項５】
前記第１色は赤、前記第２色は緑、かつ、前記第３色は青であることを特徴とする請求項３又は４に記載の画像読取装置。
【請求項６】
前記第１の複数の受光素子と前記第２の複数の受光素子とのそれぞれは、前記第１色および前記第２色のいずれとも異なる第３色の光を受光する受光素子を更に有し、
前記読取センサは、前記第１色の光を受光する受光素子、前記第２色の光を受光する受光素子、及び前記第３色の光を受光する受光素子を含む第３の複数の受光素子が前記第１方向に配列された第３ラインセンサを備え、
前記第１ラインセンサ、前記第２ラインセンサ、及び前記第３ラインセンサは、前記第２方向に前記所定の間隔で配置され、
前記第１ラインセンサにおいて記第１方向における第２位置に配置された受光素子、前記第２ラインセンサにおいて前記第１方向における前記第２位置に配置された受光素子、前記第３ラインセンサにおいて前記第１方向における前記第２位置に配置された受光素子は、それぞれ互いに異なる光を受光する受光素子であることを特徴とする請求項１に記載の画像読取装置。
【請求項７】
前記読取センサはＣＭＯＳセンサであることを特徴とする請求項１乃至６のいずれか一項に記載の画像読取装置。
【請求項８】
前記合成手段は、前記第１ラインセンサにおいて前記第１位置に設けられた受光素子に対応する画素データに対する前記検出手段の検出結果と前記第２ラインセンサにおいて前記第１位置に設けられた受光素子に対応する画素データに対する前記検出手段の検出結果とに対して論理和演算を行うことによって、前記異常情報を生成する、
請求項１乃至７のいずれか一項に記載の画像読取装置。
【請求項９】
前記画像読取装置は、前記第１ラインセンサにおける前記第１色の画素データと前記第２ラインセンサにおける前記第１色の画素データとを並び替えることによって前記第１色の画素データ列を生成し、前記第１ラインセンサにおける前記第２色の画素データと前記第２ラインセンサにおける前記第２色の画素データとを並び替えることによって前記第２色の画素データ列を生成する第３生成手段をさらに備え、
前記検出手段は、前記第３生成手段によって生成された画素データ列に基づいて、前記異常を検出することを特徴とする、
請求項１乃至８のいずれか一項に記載の画像読取装置。
【請求項１０】
前記検出手段は、前記第１生成手段によって生成された画素データに含まれる輝度を表す輝度値と、閾値と、を比較することにより前記異常を検出し、
前記閾値は、前記基準白板を読み取ることによって得られた前記輝度値に基づく値であることを特徴とする、
請求項１乃至９のいずれか一項に記載の画像読取装置。
【請求項１１】
前記補間手段は、異常が検出された画素が前記第１方向に連続する場合、当該連続する画素の両端の画素に隣接する画素の画素データに基づいて、該異常が検出された画素の画素データに対応する補正データを補間することを特徴とする、
請求項１乃至１０のいずれか一項に記載の画像読取装置。
【請求項１２】
画像を読み取る画像読取装置と、
前記画像読取装置による読取結果に基づいて所定の記録媒体に画像を形成する画像形成手段と、を備え、
前記画像読取装置は、
第１色の光を受光する受光素子と前記第１色の光とは異なる第２色の光を受光する受光素子とを含む第１の複数の受光素子が第１方向に配列された第１ラインセンサと、前記第１色の光を受光する受光素子と前記第２色の光を受光する受光素子とを含む第２の複数の受光素子が前記第１方向に配列された第２ラインセンサと、を備え、前記第１方向と交差する第２方向に所定の間隔で設けられた前記第１ラインセンサ及び前記第２ラインセンサを用いて原稿の画像を読み取る読取センサと、
前記第１ラインセンサに設けられた受光素子による読取結果を表す画素データ及び前記第２ラインセンサに設けられた受光素子による読取結果を表す画素データを生成する第１生成手段と、
前記第１ラインセンサおよび前記第２ラインセンサが基準白板を読み取った結果から前記第１生成手段が生成した画素データに基づいて、前記第１生成手段によって生成された画素データに対するシェーディング補正が行われる際に用いられる補正データを生成する第２生成手段と、
前記第１ラインセンサおよび前記第２ラインセンサが前記基準白板を読み取った結果から前記第１生成手段が生成した画素データに基づいて、当該画素データの異常を検出する検出手段と、
前記第１ラインセンサにおいて前記第１方向における第１位置に設けられた受光素子に対応する画素データに対する前記検出手段の検出結果と前記第２ラインセンサにおいて前記第１方向における前記第１位置に設けられた受光素子に対応する画素データに対する前記検出手段の検出結果とを合成することによって、前記検出手段によって異常が検出された画素データに対応する受光素子の前記第１方向における位置を示す異常情報を生成する合成手段と、
前記異常情報が示す位置に設けられた受光素子に前記第１方向において隣接する受光素子に対応する画素データに基づいて、前記異常情報が示す位置に設けられた受光素子に対応する補正データを補間する補間手段と、
前記補間手段によって補間された前記補正データに基づいて、前記異常情報が示す位置に設けられた受光素子に対応する画素データに対してシェーディング補正を行う補正手段と、
を有することを特徴とする、
画像形成装置。
【請求項１３】
第１色の光を受光する受光素子と前記第１色の光とは異なる第２色の光を受光する受光素子と前記第１色及び前記第２色とは異なる第３色の光を受光する受光素子を含む第１の複数の受光素子が第１方向に配列された第１ラインセンサと、前記第１色の光を受光する受光素子と前記第２色の光を受光する受光素子とを含む第２の複数の受光素子が前記第１方向に配列された第２ラインセンサと、前記第１色の光を受光する受光素子と前記第２色の光を受光する受光素子と前記第３色の光を受光する受光素子とを含む第３の複数の受光素子が前記第１方向に配列された第３ラインセンサと、を備え、前記第１方向と交差する第２方向に所定の間隔で設けられた前記第１ラインセンサ、前記第２ラインセンサ及び前記第３ラインセンサを用いて原稿の画像を読み取る読取センサと、
前記第１ラインセンサに設けられた受光素子による読取結果を表す画素データ、前記第２ラインセンサに設けられた受光素子による読取結果を表す画素データ及び前記第３ラインセンサに設けられた受光素子による読取結果を表す画素データを生成する第１生成手段と、
前記第１ラインセンサ、前記第２ラインセンサ及び前記第３ラインセンサが基準白板を読み取った結果に基づき前記第１生成手段が生成した画素データに基づいて、前記第１生成手段によって生成された画素データに対するシェーディング補正が行われる際に用いられる補正データを生成する第２生成手段と、
前記第１ラインセンサ、前記第２ラインセンサ及び前記基準白板を読み取った結果に基づき前記第１生成手段が生成した画素データに基づいて、当該画素データの異常を検出する検出手段と、
前記第１ラインセンサにおいて前記第１方向における第１位置に設けられた受光素子に対応する画素データに対する前記検出手段の検出結果と前記第２ラインセンサにおいて前記第１方向における前記第１位置に設けられた受光素子に対応する画素データに対する前記検出手段の検出結果と前記第３ラインセンサにおいて前記第１方向における前記第１位置に設けられた受光素子に対応する画素データに対する前記検出手段の検出結果とを合成することによって、前記検出手段によって異常が検出された画素データに対応する受光素子の前記第１方向における位置を示す異常情報を生成する合成手段と、
前記異常情報が示す位置に設けられた受光素子に前記第１方向において隣接する受光素子に対応する画素データに基づいて、前記異常情報が示す位置に設けられた受光素子に対応する補正データを補間する補間手段と、
前記補間手段によって補間された前記補正データに基づいて、前記異常情報が示す位置に設けられた受光素子に対応する画素データに対してシェーディング補正を行う補正手段と、
を有することを特徴とする、
画像読取装置。
【請求項１４】
前記第１の複数の受光素子、前記第２の複数の受光素子及び前記第３の複数の受光素子のそれぞれは、前記第１色の光を受光する受光素子と、前記第１色の光を受光する受光素子に隣接し前記第２色の光を受光する受光素子と、前記第２色の光を受光する受光素子に隣接し前記第３色の光を受光する受光素子と、を有することを特徴とする請求項１３に記載の画像読取装置。
【請求項１５】
前記第１ラインセンサ、前記第２ラインセンサ及び前記第３ラインセンサにおいて、前記第１色の光を受光する受光素子、前記第２色の光を受光する受光素子、および前記第３色の光を受光する受光素子は、前記第１方向に周期的に配列されていることを特徴とする請求項１３又は１４に記載の画像読取装置。
【請求項１６】
前記第１色は赤、前記第２色は緑、かつ、前記第３色は青であることを特徴とする請求項１３乃至１５のいずれか一項に記載の画像読取装置。
【請求項１７】
前記第１ラインセンサにおいて記第１方向における第２位置に配置された受光素子、前記第２ラインセンサにおいて前記第１方向における前記第２位置に配置された受光素子、前記第３ラインセンサにおいて前記第１方向における前記第２位置に配置された受光素子は、それぞれ互いに異なる光を受光する受光素子であることを特徴とする請求項１３乃至１６のいずれか一項に記載の画像読取装置。
【請求項１８】
前記読取センサはＣＭＯＳセンサであることを特徴とする請求項１３乃至１７のいずれか一項に記載の画像読取装置。
【手続補正２】
【補正対象書類名】明細書
【補正対象項目名】発明の名称
【補正方法】変更
【補正の内容】
【発明の名称】画像読取装置及び画像形成装置
【手続補正３】
【補正対象書類名】明細書
【補正対象項目名】００１１
【補正方法】変更
【補正の内容】
【００１１】
本発明の画像読取装置は、第１色の光を受光する受光素子と前記第１色の光とは異なる第２色の光を受光する受光素子とを含む第１の複数の受光素子が第１方向に配列された第１ラインセンサと、前記第１色の光を受光する受光素子と前記第２色の光を受光する受光素子とを含む第２の複数の受光素子が前記第１方向に配列された第２ラインセンサと、を備え、前記第１方向と交差する第２方向に所定の間隔で設けられた前記第１ラインセンサ及び前記第２ラインセンサを用いて原稿の画像を読み取る読取センサと、前記第１ラインセンサに設けられた受光素子による読取結果を表す画素データ及び前記第２ラインセンサに設けられた受光素子による読取結果を表す画素データを生成する第１生成手段と、前記第１ラインセンサおよび前記第２ラインセンサが基準白板を読み取った結果から前記第１生成手段が生成した画素データに基づいて、前記第１生成手段によって生成された画素データに対するシェーディング補正が行われる際に用いられる補正データを生成する第２生成手段と、前記第１ラインセンサおよび前記第２ラインセンサが前記基準白板を読み取った結果から前記第１生成手段が生成した画素データに基づいて、当該画素データの異常を検出する検出手段と、前記第１ラインセンサにおいて前記第１方向における第１位置に設けられた受光素子に対応する画素データに対する前記検出手段の検出結果と前記第２ラインセンサにおいて前記第１方向における前記第１位置に設けられた受光素子に対応する画素データに対する前記検出手段の検出結果とを合成することによって、前記検出手段によって異常が検出された画素データに対応する受光素子の前記第１方向における位置を示す異常情報を生成する合成手段と、前記異常情報が示す位置に設けられた受光素子に前記第１方向において隣接する受光素子に対応する画素データに基づいて、前記異常情報が示す位置に設けられた受光素子に対応する補正データを補間する補間手段と、前記補間手段によって補間された前記補正データに基づいて、前記異常情報が示す位置に設けられた受光素子に対応する画素データに対してシェーディング補正を行う補正手段と、を有することを特徴とする。